(57)【特許請求の範囲】
【請求項１】
信号を処理する回路基板と、
前記回路基板と電気的に接続され、カード状の記憶媒体の挿入あるいは排出時のカード状の記憶媒体の移動方向と直交するカード状の記憶媒体の厚さ方向においてカード状の記憶媒体の接触子と接する接触子を含み、該接触子を介してカード状の記憶媒体へのデータの書き込みおよびカード状の記憶媒体からのデータの読み出しが可能なカード保持部と、
前記カード保持部に装着され、前記カード保持部の周囲を覆うカバー部材と、
前記カバー部材に設けられたばね部材を含み、前記ばね部材の自由端またはその近傍である作用部が、カード状の記憶媒体が前記カード保持部に装着された状態のとき、カード状の記憶媒体に対しその厚さ方向において、前記カード保持部の前記接触子に向う方向の力を提供し、前記ばね部材の前記作用部が、カード状の記憶媒体が前記カード保持部に非装着状態であるとき前記カード保持部と接触することにより、外部から作用する外力による前記カバー部材の変形を防止するとともに、カード状の記憶媒体が前記カード保持部に装着された状態であるとき、前記ばね部材の前記作用部が前記カード保持部に装着されたカード状の記憶媒体の上面と当接することにより、前記カード保持部に装着されたカード状の記憶媒体を前記カード保持部から排出する際に、カード状の記憶媒体に作用する推力によりカード状の記憶媒体が前記カード保持部から飛び出すことを防止するカード飛びだし防止機構と、
を具備する携帯端末装置。
【請求項２】
信号を処理する回路基板と、
前記回路基板と電気的に接続され、カード状の記憶媒体の挿入あるいは排出時のカード状の記憶媒体の移動方向と直交するカード状の記憶媒体の厚さ方向においてカード状の記憶媒体の接触子と接する接触子を含み、該接触子を介してカード状の記憶媒体へのデータの書き込みおよびカード状の記憶媒体からのデータの読み出しが可能なカード保持部と、
前記カード保持部に装着され、前記カード保持部の周囲を覆うカバー部材と、
前記カード保持部に設けられたばね部材を含み、前記ばね部材の自由端またはその近傍である作用部が、前記カード保持部に装着されるカード状の記憶媒体の移動方向と平行な方向に沿って設けられ、前記ばね部材の高さ方向の大きさを前記カバー部材により定義される空間の高さに対し最適な大きさとすることにより、カード状の記憶媒体が前記カード保持部に非装着状態であるとき、前記カード保持部に対してカード状の記憶媒体の厚さ方向に外部から作用する外力による前記カバー部材の変形を防止するとともに、カード状の記憶媒体が前記カード保持部に装着された状態のとき、前記作用部がカード状の記憶媒体の切り欠き部と係合することにより、前記カード保持部に装着されたカード状の記憶媒体を前記カード保持部から排出する際に、カード状の記憶媒体に作用する推力によりカード状の記憶媒体が前記カード保持部から飛び出すことを防止するカード飛びだし防止機構と、
を具備する携帯端末装置。
【請求項３】
回路基板と電気的に接続され、カード状の記憶媒体の挿入あるいは排出時のカード状の記憶媒体の移動方向と直交するカード状の記憶媒体の厚さ方向においてカード状の記憶媒体の接触子と接する接触子を含み、該接触子を介してカード状の記憶媒体へのデータの書き込みおよびカード状の記憶媒体からのデータの読み出しが可能なカード保持部と、
前記カード保持部に装着され、前記カード保持部の周囲を覆うカバー部材と、
前記カバー部材に設けられたばね部材を含み、前記ばね部材の自由端またはその近傍である作用部が、カード状の記憶媒体が前記カード保持部に装着された状態のとき、カード状の記憶媒体に対しその厚さ方向において、前記カード保持部の前記接触子に向う方向の力を提供し、前記ばね部材の前記作用部が、カード状の記憶媒体が前記カード保持部に非装着状態であるとき前記カード保持部と接触することにより、外部から作用する外力による前記カバー部材の変形を防止するとともに、カード状の記憶媒体が前記カード保持部に装着された状態であるとき、前記ばね部材の前記作用部が前記カード保持部に装着されたカード状の記憶媒体の上面と当接することにより、前記カード保持部に装着されたカード状の記憶媒体を前記カード保持部から排出する際に、カード状の記憶媒体に作用する推力によりカード状の記憶媒体が前記カード保持部から飛び出すことを防止するカード飛びだし防止機構と、
を具備する読み出し書き込み装置。
【請求項４】
回路基板と電気的に接続され、カード状の記憶媒体の挿入あるいは排出時のカード状の記憶媒体の移動方向と直交するカード状の記憶媒体の厚さ方向においてカード状の記憶媒体の接触子と接する接触子を含み、接触子を介してカード状の記憶媒体へのデータの書き込みおよびカード状の記憶媒体からのデータの読み出しが可能なカード保持部と、
前記カード保持部に装着され、前記カード保持部の周囲を覆うカバー部材と、
前記カード保持部に設けられたばね部材を含み、前記ばね部材の自由端またはその近傍である作用部が、前記カード保持部に装着されるカード状の記憶媒体の移動方向と平行な方向に沿って設けられ、前記ばね部材の高さ方向の大きさを前記カバー部材により定義される空間の高さに対し最適な大きさとすることにより、カード状の記憶媒体が前記カード保持部に非装着状態であるとき、前記カード保持部に対してカード状の記憶媒体の厚さ方向に外部から作用する外力による前記カバー部材の変形を防止するとともに、カード状の記憶媒体が前記カード保持部に装着された状態のとき、前記作用部がカード状の記憶媒体の切り欠き部と係合することにより、前記カード保持部に装着されたカード状の記憶媒体を前記カード保持部から排出する際に、カード状の記憶媒体に作用する推力によりカード状の記憶媒体が前記カード保持部から飛び出すことを防止するカード飛びだし防止機構と、
を具備する読み出し書き込み装置。
【発明の詳細な説明】
【技術分野】
【０００１】
この発明は、携帯端末装置、例えば移動通信向け端末装置やデータを保持した端末装置に係り、特に装置本体に着脱可能な外部記憶装置の保持機構に関する。
【背景技術】
【０００２】
携帯端末装置、例えば移動通信端末装置である携帯電話装置や、音楽データを保持した端末装置において、音楽データや画像データを、カード状の記憶媒体により外部装置との間で受け渡しできるものが既に実用化されている。なお、カード状の記憶媒体は、利用者が容易に着脱可能であることが好ましい。また、外部からのごみや埃等が容易に侵入することを抑止するために、カード状の記録媒体が装着されるカードスロットは、外装カバーの一部を開放可能としたカード収容部に装着される。
【０００３】
例えば、携帯電話装置においては、サービスシステム（管理者側ホスト装置）との間の信号の受け渡しを可能とする外部インタフェースコネクタの近傍にメモリーカードを収納するためのケースを設け、蓋を共用した例が報告されている（例えば特許文献１参照）。
【特許文献１】特開平１０−１９０８０３号公報
【発明の開示】
【発明が解決しようとする課題】
【０００４】
しかしながら、特許文献１に開示された提案には、挿入されたメモリーカードがケースから外部へイジェクト（排出）される際の解放機構による推力により、メモリーカードがケースから飛び出すことは、考慮されていない。
【０００５】
これに対し、現在市場に供給されているカード状のメモリ部材としては、非常に軽量で小型のものが既に実用化されているため、イジェクトのための僅かな力により、カード状メモリ部材がケース部（スロット）から飛び出し易く、不所望に外部へ落下する例があることが報告されている。
【０００６】
いうまでもなく、携帯端末装置から外部へのカード状メモリ部材の落下は、メモリ部材そのものの紛失や、雨天の屋外等における予期しないコンタクト部分の短絡等を誘発する問題がある。
【０００７】
また、携帯端末装置の小型化および軽量化に伴って、カード状メモリ部材がスロットに装着されている状態で、携帯端末装置の剛性や外力に対する変形等を抑止する筐体構造も提案されており、カード状メモリ部材が装着されていない状態において、携帯端末装置の強度（剛性）を確保することが求められている。
【０００８】
この発明の目的は、カード状の記憶媒体の保持部ならびに携帯端末装置の機械的強度を高めることができ、しかもカード状の記憶媒体を携帯端末装置からイジェクトする際に、カード状の記憶媒体が不所望にスロットから飛び出すことが防止できる構造、およびその構造を備えた携帯端末装置を提供することである。
【課題を解決するための手段】
【０００９】
この発明は、信号を処理する回路基板と、前記回路基板と電気的に接続され、カード状の記憶媒体の挿入あるいは排出時のカード状の記憶媒体の移動方向と直交するカード状の記憶媒体の厚さ方向においてカード状の記憶媒体の接触子と接する接触子を含み、該接触子を介してカード状の記憶媒体へのデータの書き込みおよびカード状の記憶媒体からのデータの読み出しが可能なカード保持部と、前記カード保持部に装着され、前記カード保持部の周囲を覆うカバー部材と、前記カバー部材に設けられたばね部材を含み、前記ばね部材の自由端またはその近傍である作用部が、カード状の記憶媒体が前記カード保持部に装着された状態のとき、カード状の記憶媒体に対しその厚さ方向において、前記カード保持部の前記接触子に向う方向の力を提供し、前記ばね部材の前記作用部が、カード状の記憶媒体が前記カード保持部に非装着状態であるとき前記カード保持部と接触することにより、外部から作用する外力による前記カバー部材の変形を防止するとともに、カード状の記憶媒体が前記カード保持部に装着された状態であるとき、前記ばね部材の前記作用部が前記カード保持部に装着されたカード状の記憶媒体の上面と当接することにより、前記カード保持部に装着されたカード状の記憶媒体を前記カード保持部から排出する際に、カード状の記憶媒体に作用する推力によりカード状の記憶媒体が前記カード保持部から飛び出すことを防止するカード飛びだし防止機構と、を具備する携帯端末装置を提供するものである。
【００１０】
また、この発明は、回路基板と電気的に接続され、カード状の記憶媒体の挿入あるいは排出時のカード状の記憶媒体の移動方向と直交するカード状の記憶媒体の厚さ方向においてカード状の記憶媒体の接触子と接する接触子を含み、該接触子を介してカード状の記憶媒体へのデータの書き込みおよびカード状の記憶媒体からのデータの読み出しが可能なカード保持部と、前記カード保持部に装着され、前記カード保持部の周囲を覆うカバー部材と、前記カバー部材に設けられたばね部材を含み、前記ばね部材の自由端またはその近傍である作用部が、カード状の記憶媒体が前記カード保持部に装着された状態のとき、カード状の記憶媒体に対しその厚さ方向において、前記カード保持部の前記接触子に向う方向の力を提供し、前記ばね部材の前記作用部が、カード状の記憶媒体が前記カード保持部に非装着状態であるとき前記カード保持部と接触することにより、外部から作用する外力による前記カバー部材の変形を防止するとともに、カード状の記憶媒体が前記カード保持部に装着された状態であるとき、前記ばね部材の前記作用部が前記カード保持部に装着されたカード状の記憶媒体の上面と当接することにより、前記カード保持部に装着されたカード状の記憶媒体を前記カード保持部から排出する際に、カード状の記憶媒体に作用する推力によりカード状の記憶媒体が前記カード保持部から飛び出すことを防止するカード飛びだし防止機構と、を具備する読み出し書き込み装置を提供するものである。
【発明の効果】
【００１２】
本発明によれば、カード状の着脱可能な記憶媒体がカードスロットに非装着である場合には、カード保持部の機械的強度を高めることができる。
【００１３】
また、カードスロットにカード状の記憶媒体が装着された状態からイジェクトする際にカード状の記憶媒体がスロットから飛び出すことを防止できる。
【００１４】
さらに、カード状の記憶媒体がスロットから飛び出すことに起因して、カード状の記憶媒体そのものの紛失や、雨天の屋外での落下等における予期しない記憶媒体のコンタクト部分の短絡等に起因するデータの破壊が低減される。
【発明を実施するための最良の形態】
【００１５】
以下、図面を参照して、この発明の実施の形態について詳細に説明する。
【００１６】
図１および図２は、この発明の実施の形態が適用される携帯端末装置、例えば移動通信向けの端末装置の一例を説明する概略図である。なお、以下に詳述するこの発明の実施の形態は、例えば音楽データ等がデジタル化された符号情報を保持可能で、携帯した状態で音楽等の再生が可能な携帯可能装置等にも適用可能である。
【００１７】
図１に示すように、携帯端末装置、例えば空間波を用いることにより、移動しながらの通話やデータの送受信が可能な携帯電話装置１は、表示ユニット１０と本体ユニット２０を有する。表示ユニット１０と本体ユニット２０は、接続部３０により接続されている。
【００１８】
本体ユニット２０の所定位置には、外部装置との接続及び情報の受け渡しに用いられるコネクタや本体ユニット２０に対して着脱可能なカード状のメモリ部材を格納するカードスロットが収納されている外部接続部２１が設けられている。外部接続部２１の近傍の所定の位置には、図示しない充電用電源装置あるいは外部バッテリ装置から電力が供給可能な給電ターミナル２２が設けられている。
【００１９】
図２は、図１に概略を示した携帯電話装置１を、使用時の状態に準じて説明している。表示ユニット１０には、音声による通話や音楽データの再生に利用されるスピーカ１１と通話先または着信時の相手先の電話番号、データ送信先または送信元のアドレス、編集中もしくは再生中の文字情報または画像情報等が表示可能な表示部１２が設けられている。本体ユニット２０には、数値または文字情報の入力に利用される入力部２３と音声による通話に利用されるマイクロホン２４が、設けられている。なお、入力部２３には、詳述しないが、例えば相手先電話番号や数字データの入力に利用される数値（ダイヤル）キー、送信キー、終了キー、電源キー、音量調節キー、モード指定キー等の、さまざまな機能の設定や動作状態の特定に利用されるさまざまな設定キーが設けられている。
【００２０】
図３は、図１および図２に示した携帯端末装置の機能の一例を説明する概略ブロック図である。
【００２１】
接続中の基地局から送信された無線信号は、アンテナ１０１で受信されたのちアンテナ共用器（ＤＵＰ）１０２を介して受信回路（ＲＸ）１０３に入力される。
【００２２】
受信回路１０３では、受信された無線信号と周波数シンセサイザ（ＳＹＮ）１０４から出力された局部発振信号とがミキシングされ、中間周波信号に周波数変換（ダウンコンバート）される。なお、受信回路１０３からは、中間周波信号を直交復調した受信ベースバンド信号が出力される。また、上記周波数シンセサイザ１０４から発生される局部発振信号の周波数は、以下に説明する制御部１１２からの制御信号ＳＹＣによって指示される。
【００２３】
受信ベースバンド信号は、ＣＤＭＡ信号処理部１０６に入力される。ＣＤＭＡ信号処理部１０６は、ＲＡＫＥ受信機を備える。ＲＡＫＥ受信機では、受信ベースバンド信号に含まれる複数のパスが、それぞれ拡散符号により、逆拡散処理される。逆拡散処理された各パスの信号は、位相を合わされたのち合成される。この結果、所定の伝送フォーマットの受信パケットデータが得られる。
【００２４】
受信パケットデータは、圧縮伸長処理部（以後コンパンダと称する）１０７に入力される。コンパンダ１０７は、図示しない多重分離部を含み、ＣＤＭＡ信号処理部１０６から出力された受信パケットデータが、多重分離部によりメディア（情報の種類）ごとに分離される。また、コンパンダ１０７により、分離されたメディアデータごとに復号される。例えば、受信パケットデータにオーディオデータが含まれている場合、オーディオデータは、スピーチコーデックにより復号される。受信パケットデータにビデオデータが含まれていれば、ビデオデータは、ビデオコーデックにより復号される。
【００２５】
コンパンダ１０７を介して復号されたディジタルオーディオ信号は、ＰＣＭ符号処理部（以後ＰＣＭコーデックと称する）１０８へ、ディジタルビデオ信号は、制御部１１２へそれぞれ入力される。なお、受信パケットデータにメール等のテキストデータが含まれている場合には、テキストデータは、制御部１１２を通じて記憶部１１３に保存される。
【００２６】
コンパンダ１０７から出力されたディジタルオーディオ信号は、ＰＣＭコーデック１０８で、ＰＣＭ復号され、アナログオーディオ信号として受話増幅器１０９に出力される。受話増幅器１０９に入力されたオーディオ信号は、所定レベルまで増幅されたのちスピーカ１１に出力される。従って、スピーカ１１からは、音声あるいは再生された音楽が出力される。
【００２７】
制御部１１２では、コンパンダ１０７から出力されたディジタルビデオ信号については、図示しないビデオＲＡＭを用いて、表示部１２のＬＣＤ（Liquid Crystal Devise）による表示に適した信号形式に変換し、所定のタイミングでＬＣＤに転送する。これにより、ＬＣＤには、図示しないＬＣＤ駆動回路を介して入力される信号に従って、画像が表示される。
【００２８】
メール等のテキストデータは、入力部２３から入力される（ユーザの）指示に基づいて所定のタイミングで記憶部１１３から呼び出され、図示しないコード変換部により、表示すべき文字情報や記号等に対応した符号列に変換され、ＬＣＤが表示すべき情報として、ＬＣＤに供給される。これにより、ＬＣＤには、図示しないＬＣＤ駆動回路を介して入力される信号に従って、文字あるいは記号が表示される。
【００２９】
なお、入力部２３において例えば留守番モードが設定されている場合には、制御部１１２の制御により、コンパンダ１０７において復号処理される前の段階のオーディオデータおよびビデオデータが記憶部１１３内の、例えば留守記録エリアに記憶される。
【００３０】
一方、マイクロホン２４に入力された利用者の音声は、送話増幅器１１０により適正レベルまで増幅されたのち、ＰＣＭコーデック１０８にてＰＣＭ符号に符号化され、ディジタルオーディオ信号として、コンパンダ１０７に入力される。また、図示しないカメラにより撮像されたビデオ信号は、制御部１１２によりディジタル化されてコンパンダ１０７に入力される。なお、制御部１１２において作成されたメール等のテキストデータも制御部１１２からコンパンダ１０７に入力される。
【００３１】
コンパンダ１０７では、ＰＣＭコーデック１０８から出力されたディジタルオーディオ信号から入力音声のエネルギ量が検出され、この検出結果に基づいて送信データレートが決定される。決定された送信データレートに基づいて、ディジタルオーディオ信号が送信データレートに応じたフォーマットの信号に符号化される。このようにして、送信用オーディオデータが生成される。また、コンパンダ１０７では、制御部１１２から出力されたディジタルビデオ信号が符号化され、ビデオデータが生成される。
【００３２】
音声データおよび画像データは、コンパンダ１０７の図示しない多重分離部により所定の伝送フォーマットに従いパケット化される。パケット化された送信パケットデータは、ＣＤＭＡ信号処理部１０６へ出力される。メール等のテキストデータも、同様にパケット化され、送信パケットデータに多重化される。
【００３３】
ＣＤＭＡ信号処理部１０６では、コンパンダ１０７から出力された送信パケットデータが送信チャネルに割り当てられた拡散符号を用いてスペクトラム拡散処理され、その出力信号が送信回路（ＴＸ）１０５へ出力される。
【００３４】
送信回路１０５では、ＣＤＭＡ信号処理部１０６においてスペクトラム拡散された信号が、例えばＱＰＳＫ方式のディジタル変調方式により変調される。変調された送信信号は、周波数シンセサイザ１０４から発生される局部発振信号と合成され、所定周波数の空間波、すなわち無線信号に周波数変換される。
【００３５】
送信回路１０５から空間波として出力される無線信号は、送信に先だって制御部１１２により指示される送信電力レベルとなるように（送信回路１０５において）、高周波増幅される。
【００３６】
増幅された無線信号すなわち高周波信号は、アンテナ共用器１０２を経由してアンテナ１０１に供給され、アンテナ１０１から基地局へ向けて送信される。
【００３７】
なお、上述した一連の動作あるいはデータの記憶および保持に利用される電力は、図１および図２により前に説明した給電ターミナル２２を経由して、予め図示しない商用電源または外部バッテリ装置から供給され、バッテリ１１４に保持されている。また、動作時あるいは必要に応じて、バッテリ１１４に保持されている電力が、電源回路１１５により所定の動作電源電圧Ｖccとして、携帯電話装置１の各部に供給される。
【００３８】
制御部１１２はまた、上述した一連の動作あるいはデータの記憶および保持に利用される主制御部１１２ａを接続されたＩ／Ｏポート（入出力部）１１２ｂを有し、図４により以下に説明するが、図２に示した外部接続部２１のコネクタ（インタフェース）１２１と接続されることにより、サービスシステム（管理者側ホスト装置）との間の信号の受け渡しが可能である。なお、Ｉ／Ｏポート１１２ｂと接続されたコネクタ１２１には、ユーザが所有するパーソナルコンピュータや任意の装置に設けられているモデム等と接続された場合に、空間波による通信が可能に、詳述しないプロトコルに従った入出力向けの信号の割り当てが可能である。
【００３９】
主制御部１１２ａには、外部インタフェース１１２ｃが接続されている。
【００４０】
外部インタフェース１１２ｃには、既に規格が公開されているカード状の記憶媒体、例えばminiＳＤカードＭ（商標）との間でデータの受け渡しが可能な、カードスロット１３１が接続されている。カードスロット１３１は、miniＳＤカードＭを介して、例えば携帯電話装置１がカメラ付きである場合にそのカメラ機構により撮像された画像データ、もしくは通信により外部から入手（ダウンロード）された画像データ等を携帯電話装置１とは別の再生装置やパーソナルコンピュータ等に移動させるために利用される。また、miniＳＤカードＭにより、音楽データ等がデジタル化された符号情報や予め用意された画像情報を携帯電話装置１に移動させて、携帯電話装置１により音楽や画像を再生することができる。
【００４１】
図４および図５は、カードスロットおよびその近傍の構成の一例を説明する概略図である。なお、図４は、カードスロットの内部をより詳細に説明するため、一部を切断した状態を示している。また、図５は、カードスロットにカード状の記憶媒体が装着された状態を示している。
【００４２】
カードスロット１３１は、外部接続部２１（図１または図２参照）のカバー部材（符号なし）が開放された場合に、その一部が露出可能に、本体ユニット２０の外装樹脂２０ａの所定位置に設けられている。
【００４３】
カードスロット１３１は、外装樹脂２０ａの固定位置に固定される支持基板１３２と、支持基板１３２の所定位置に設けられ、カード状の記憶媒体、例えばminiＳＤカードＭが装着可能なカード保持部１３３を有している。カード保持部１３３は、外部装置との間のデータの受け渡しに利用されるminiＳＤカードＭを保持するとともに、miniＳＤカードＭへのデータの書き込みおよび、miniＳＤカードＭからのデータの読み出しが可能である。
【００４４】
カード保持部１３３は、例えばコンタクト１３４ｄ部分を除いて絶縁性樹脂等により覆われたフレキシブル基板であって、樹脂モールドあるいは接着により、支持基板１３２に固定されている。カード保持部１３３には、本体ユニット２０の所定位置に予め設けられている詳述しないメインボード（主基板）との間で信号の受け渡しが可能なフレキシブルケーブル１３４が接続されている。フレキシブルケーブル１３４のカード保持部１３３側には、カード保持部１３３に装着されるminiＳＤカードＭの所定位置に設けられているコンタクトＭｄと電気的に接続可能なコンタクト１３４ｄが設けられている。なお、フレキシブルケーブル１３４は、カード保持部１３３と一体的に形成されている。
【００４５】
カード状の記憶媒体すなわちminiＳＤカードＭは、現在市場に供給されているカード状メモリ部材のなかでも非常に軽量で小型であるため、イジェクトのための僅かな力によりカードスロット１３１から飛び出し易く、イジェクト時の状態にもよるが、携帯電話装置１から外部へ落下する例があることが報告されている。いうまでもなく、携帯電話装置１から外部へのminiＳＤカードＭの落下は、カードそのものの紛失や雨天の屋外等における予期しないコンタクトＭｄの短絡等に起因するデータの損傷を誘発する要因となる。
【００４６】
カード保持部１３３の所定位置には、挿入されたminiＳＤカードＭがスロット１３１の外部へイジェクト（排出）される際の図示しない解放機構による推力により（ＳＤカードＭが）スロット１３１から飛び出すことを抑止するばね部材（カード飛びだし防止機構）１３５が設けられている。換言すると、ばね部材１３５は、カード保持部１３３からminiＳＤカードＭを排出させるためにminiＳＤカードＭに提供される推力に対抗し、miniＳＤカードＭを前記カード保持部内の所定の領域にとどめる摩擦力を提供する摩擦力提供機構として機能する。なお、ばね部材１３５は、動作時（カード装着時）にminiＳＤカードＭと接する位置すなわち自由端またはその近傍の任意の一部である作用部がminiＳＤカードＭと接する。
【００４７】
なお、ばね部材１３５は、miniＳＤカードＭがカードスロット１３１内に挿入された時点、すなわちカード保持部１３３の所定位置にminiＳＤカードＭが装着された際に、miniＳＤカードＭのコンタクトＭｄと干渉（接触）しない位置であれば、任意の位置に設けることができる。
【００４８】
ばね部材１３５は、例えば所定厚さのばね用ステンレス鋼またはりん青銅等により形成されている。なお、ばね部材１３５は、例えばカード保持部にモールドにより固定されている。また、ばね部材１３５のminiＳＤカードＭと接する側の面あるいは動作時（カード装着時）にminiＳＤカードＭと接する位置に、摩耗が少なくすべり特性を改善可能な樹脂材料、例えばテフロン樹脂やソリッドベアリング（樹脂）等が設けられてもよい。
【００４９】
カード保持部１３３の周囲には、フレキシブルケーブル１３４のコンタクト１３４ｄとminiＳＤカードＭのコンタクトＭｄとの間の接触の確実性を高めるとともに、不要な輻射をシールドするカバー部材１３６が設けられている。また、miniＳＤカードＭのコンタクトＭｄの位置は、miniＳＤカードＭの所定の位置に形成されたスライド部Ｍａと関連づけられている。なお、カバー部材１３６は、例えば支持基板１３２と接続されることで、図示しないメインボード（主基板）を通じて、接地されてもよい。
【００５０】
また、カバー部材１３６により確保される空間は、カードＭの非装着時には、ばね部材１３５の自由端またはその近傍の任意の一部である作用部が接触されることにより、外部から作用する外力に起因して不所望に変形することが低減される。換言すると、ばね部材１３５の自由端は、カードＭが装着されていない場合に、カバー部材１３６の内壁に接触可能で、カバー部材１３６に外部から作用する外力に対して所定の大きさの抗力を提供可能である。従って、カードＭが装着されていない場合であっても、カバー部材１３６の厚さを薄くすることにより重量を低減する等の場合に不足するカバー部材１３６の剛性を高めることができる。
【００５１】
図６は、図４に示したカード飛びだし防止機構の別の実施形態を説明している。なお、図４および図５を用いて説明した構成と同一の構成には同じ符号を付して、詳細な説明を省略する。
【００５２】
図６に示す実施の形態は、カバー部材１３６と一体に形成され、カード保持部１３３に挿入されたminiＳＤカードＭがスロット１３１の外部へイジェクト（排出）される際の図示しない解放機構による推力によりスロット１３１から飛び出すことを抑止するばね機構（カード飛びだし防止機構）１３６ａを設けたことを特徴としている。
【００５３】
この構成によれば、図４および図５により前に説明した例に比較して、フレキシブル配線を伴うカード保持部１３３に、ばね部材１３５を固定する必要がなく、しかも部品点数も削減できる。また、ばね機構１３６ａは、カードＭのコンタクトＭｄが設けられる側と反対の側に位置されることから、カバー部材１３６の任意の位置に配置可能である。
【００５４】
なお、ばね機構１３６ａの自由端またはその近傍の任意の一部である作用部をカードＭの非装着時に、カード保持部１３３に接触させて外部から作用する外力に起因してカバー部材１３６が不所望に変形することを抑止する際には、図４および図５により前に説明した実施の形態に比較して、より高い剛性を確保できる。この場合、カード非装着時に、ばね機構１３６ａの自由端が、カード保持部１３３のコンタクト１３４ｄと接しないよう、その方向または長さを最適化すればよい。
【００５５】
図７は、図４ないし図６に示したカード飛びだし防止機構のさらに別の実施形態を説明している。なお、図４ないし図６を用いて説明した構成と同一の構成には同じ符号を付して、詳細な説明を省略する。
【００５６】
図７に示す実施の形態においては、カード保持部１３３に挿入されたminiＳＤカードＭがカードスロット１３１から飛び出すことを抑止可能な２つのばね部材（カード飛びだし防止機構）２３７ａ，２３７ｂが、カード保持部１３３にminiＳＤカードＭが装着される際のカードの厚さ方向と直交する方向に設けられていることを特徴としている。
【００５７】
なお、ばね部材２３７ａ，２３７ｂは、いずれか一方のみ設けられてもよいことはいうまでもない。また、ばね部材２３７ａ，２３７ｂの少なくとも一方には、miniＳＤカードＭに予め規定されている切り欠き部ＭｂまたはＭｃ（図４参照）の少なくとも１つと一体的に機能する（切り欠き部に噛み合う）突起部すなわち作用部が設けられてもよい。
【００５８】
図７に示した実施の形態においては、ばね部材２３７ａ，２３７ｂを、カード保持部１３３にminiＳＤカードＭが装着される際のカードＭの厚さ方向と直交する方向に配置したことにより、外装樹脂２０ａ（図４参照）を通じて不所望に外力が生じたとしてもカードＭが撓んだり、カードＭにカードスロット１３１から飛び出す方向の力が作用することが防止できる。なお、ばね部材２３７ａ，２３７ｂは、その高さ（カードＭの厚さ）方向の大きさを、カバー部材１３６により定義される空間の高さに対して最適な大きさとすることで、カードＭの非装着時にカバー部材１３６に外部から作用する外力に起因してカバー部材１３６が不所望に変形することを抑止できる。
【００５９】
以上説明したように本発明によれば、カード状の着脱可能な記憶媒体がカードスロットに非装着である場合には、カード保持部の機械的強度を高めることができ、またスロットにカード状の記憶媒体が装着された状態からイジェクトする際に、カード状の記憶媒体が不所望にスロットから飛び出すことが防止できる。
【００６０】
なお、この発明は、前記各実施の形態に限定されるものではなく、その実施の段階ではその要旨を逸脱しない範囲で種々な変形もしくは変更が可能である。また、各実施の形態は、可能な限り適宜組み合わせて、もしくは一部を削除して実施されてもよく、その場合は、組み合わせもしくは削除に起因したさまざまな効果が得られる。
【００６１】
例えば、発明の詳細な説明においては、携帯電話装置を例に本発明の実施の形態を説明したが、音楽データをカード状の記憶媒体により移動（収納）可能な音響機器や撮影した画像情報をカード媒体によりプリンタ装置に供給するディジタルカメラ等にも適用可能であることはいうまでもない。
【図面の簡単な説明】
【００６２】
【図１】この発明の実施の形態が適用される端末装置の一例を説明する概略図。
【図２】この発明の実施の形態が適用される端末装置の一例を説明する概略図。
【図３】図１および図２に示した携帯端末装置の機能の一例を説明する概略ブロック図。
【図４】カードスロットおよびその近傍の構成の一例を説明する概略図。
【図５】カードスロットにカード状の記憶媒体が装着された状態を説明する概略図。
【図６】図４および図５に示したカードスロットの別の実施形態を説明する概略図。
【図７】図４ないし図６に示したカードスロットの別の実施形態を説明する概略図。
【符号の説明】
【００６３】
１…携帯電話装置、１０…表示ユニット、１１…スピーカ、１２…表示部、２０…本体ユニット、２０ａ…外装樹脂、２１…外部接続部、２２…給電ターミナル、２３…入力部、２４…マイクロホン、３０…接続部、１０１…アンテナ、１０２…アンテナ共用器（ＤＵＰ）、１０３…受信回路（ＲＸ）、１０４…周波数シンセサイザ（ＳＹＮ）、１０５…送信回路（ＴＸ）、１０６…ＣＤＭＡ信号処理部、１０７…圧縮伸長処理部（コンパンダ）、１０８…ＰＣＭ符号処理部（ＰＣＭコーデック）、１０９…受話増幅器、１１０…送話増幅器、１１２…制御部、１１２ａ…主制御部、１１２ｂ…Ｉ／Ｏポート、１１２ｃ…外部インタフェース、１１３…記憶部、１１４…バッテリ、１１５…電源回路、１２１…コネクタ、１３１…カードスロット、１３２…支持基板、１３３…カード保持部、１３４…フレキシブルケーブル、１３４ｄ…コンタクト（カードスロット側）、１３５…ばね部材、１３６…カバー部材、１３６ａ…ばね機構、２３７ａ，２３７ｂ…ばね部材、Ｍ…miniＳＤカード（カード状記憶媒体）。
【図１】
0004714429.tif 000002
【図２】
0004714429.tif 000003
【図３】
0004714429.tif 000004
【図４】
0004714429.tif 000005
【図５】
0004714429.tif 000006
【図６】
0004714429.tif 000007
【図７】
0004714429.tif 000008